(57)【要約】【解決手段】脚体１１と天板１２とで構成されたデスクユニット１０を設ける。該デスクユニット１０の背面の幅と同じ長さに構成された略枠体状を成し、自身の長手方向に沿って配線ケーブルＰを収納する収納部を設けたケーブルユニット２０を設ける。デスクユニット１０の背面の幅と同じ長さに構成された略枠体状を成したディスプレイユニット３０を設ける。ディスプレイユニット３０にディスプレイ支持装置４０を立設せしめる。デスクユニット１０の背面に、ケーブルユニット２０とディスプレイユニット３０とのいずれか一方又は両方を併設して各ユニットを着脱自在に連結する。【効果】各デスクに載置するディスプレイやパソコン等を自由に増減することが可能になる。テーブル自体のレイアウト変更も極めて容易に行える。【選択図】　　　　図１
2004135735.tif 000002
【特許請求の範囲】
【請求項１】
脚体と天板とで構成されたデスクユニットと、該デスクユニットの背面の幅と同じ長さに構成された略枠体状を成し、デスクユニットの幅方向に沿って配線ケーブルを収納する収納部を設けたケーブルユニットと、前記デスクユニットの背面の幅と同じ長さに構成された略枠体状を成し、複数のディスプレイを装着するディスプレイ支持装置を立設せしめるディスプレイユニットとから成り、デスクユニットの背面に、ディスプレイユニットとケーブルユニットとのいずれか一方又は両方を併設して各ユニットを着脱自在に連結することを特徴とするディスプレイ用デスク装置。
【請求項２】
前記デスクユニットは、前記ディスプレイユニット又は前記ケーブルユニットの脚部に連結ボルトで着脱自在に連結する脚体と、前記天板の下に配置される台車付キャビネットと、デスクユニットの前面を開閉自在に覆う三連の扉とを有する請求項１記載のディスプレイ用デスク装置。
【請求項３】
前記ケーブルユニットは、前記ディスプレイユニット又は前記デスクユニットの脚部に連結ボルトで着脱自在に連結する脚体と、該脚体の内側に設けられた機器取付用のサイドボードと、ケーブルユニットの開口した上部に着脱自在に装着して配線ケーブルを支持するケーブルトレイと、該ケーブルトレイの開口上部を施蓋する蓋体とで構成された請求項１記載のディスプレイ用デスク装置。
【請求項４】
前記ディスプレイユニットは、前記デスクユニット又は前記ケーブルユニットの脚部に連結ボルトで着脱自在に連結する脚体と、該脚体の上面に設けられ、前記ディスプレイ支持装置を立設せしめる支持用レールと、脚体の内側面に沿って配線ケーブルを支持するケーブルリングとを有する請求項１記載のディスプレイ用デスク装置。
【発明の詳細な説明】
【０００１】
【発明の属する技術分野】
本発明は、例えば、金融機関のディーリングルームで使用されているディーリングディスクなど、コンピューター用のＣＲＴディスプレイ装置や液晶ディスプレイ装置、電話機等を多数設置するのに好適なディスプレイ用デスク装置に関する。
【０００２】
【従来の技術】
金融機関のディーリングルームで使用されているディーリングディスクには、各種のデータを表示するため、数多くのディスプレイ装置や電話機等が設置されている。
【０００３】
一方、学校やオフィスなどで使用する多数のパソコンをネットワークとして使用する際に用いられるコンピュータデスクに関する発明が特許文献１乃至３に記載されている。これらの特許文献は、いずれも、配線作業の作業性向上を図るとともに、床あるいは床下の工事を不要とすることを目的として開発されている。
【０００４】
特許文献１は、デスク天板の裏面に、第１のケーブル収納部を装備し、この第１のケーブル収納部の全体を覆う保護カバーを設けたもので、この保護カバーの一端部を支軸として前記デスク天板の裏面に起伏回動自在に装備し、この保護カバーを、その起伏回動の回動端がオペレータ側に位置するように配置したコンピュータデスク装置である。
【０００５】
特許文献２は、さらに増設やレイアウト変更を容易に行うことができるように構成したもので、デスク天板の後面に取り付けられるケーブル収納ボックスを設け、ケーブル収納ボックスの内部に、Ｚ型仕切部材で第１のケーブル収納スペースと、第２のケーブル収納スペースとの２つのスペースに区画し、第１のケーブル収納スペースに電源用ケーブルを収納し、第２のケーブル収納スペースにネットワーク用ケーブルを収納するようにしている。
【０００６】
特許文献３には、コンピュータを載置するデスク天板と、このデスク天板の上側一端部に配設される背面板とを備えたコンピュータデスク装置において、背面板内に、コンピュータに接続されるケーブルを収納するケーブル収納部を備えると共に、この背面板の前記天板に向かう方向及びその逆の方向に所定の開口部を設けたコンピュータデスク装置が記載されている。
【０００７】
【特許文献１】
特許第２７２３８２９号公報
【特許文献２】
特許第２９９４３５２号公報
【特許文献３】
特許第３３１７８５４号公報
【０００８】
【発明が解決しようとする課題】
各特許文献で提案されたコンピュータデスク装置では、いずれも配線作業の作業性向上を図り、床あるいは床下の工事を不要としているが、個々のデスクにケーブル収納部等の構成部材をそれぞれ設けた独立した構成になっているので、各デスクは構成部材と一体構造になっていた。このような独立したデスクでは、載置可能なディスプレイ装置等の数が限られており、各デスクを組み合わせることは可能でも、ディスプレイ装置等の増加に対応することは困難である。また、パソコン周辺機器やディスプレイ装置の数に合わせてデスクのレイアウトを自由に設定できない構造になっていた。
【０００９】
特に、ディーリングデスクのように、多数のディスプレイ装置が連立する環境においては、多数のディスプレイ装置をレイアウト自在に配置したり、デスクに載置するパソコン周辺機器や電話機などの数も一定ではない。したがって、従来の特許文献１乃至３に記載されたコンピュータデスク装置のように、各デスクがケーブル収納部等の構成部材と一体構造になっているものでは、このデスク上に複数のＣＲＴディスプレイ装置が載置されただけでもディスクとしての機能は果たせないことになる。
【００１０】
そこで、本発明は上述の課題を解消すべく創出されたもので、各デスクに載置するディスプレイやパソコン等を自由に増減することが可能で、しかも、テーブル自体のレイアウト変更も極めて容易に行えるディスプレイ用デスク装置の提供を目的とするものである。
【００１１】
【課題を解決するための手段】
上述の目的を達成すべく本発明の第１の手段は、脚体１１と天板１２とで構成されたデスクユニット１０と、該デスクユニット１０の背面の幅と同じ長さに構成された略枠体状を成し、デスクユニット１０の幅方向に沿って配線ケーブルＰを収納する収納部を設けたケーブルユニット２０と、前記デスクユニット１０の背面の幅と同じ長さに構成された略枠体状を成し、複数のディスプレイ装置Ｑを装着するディスプレイ支持装置４０を立設せしめるディスプレイユニット３０とから成り、デスクユニット１０の背面に、ディスプレイユニット３０とケーブルユニット２０とのいずれか一方又は両方を併設して各ユニットを着脱自在に連結することにある。
【００１２】
第２の手段において、デスクユニット１０は、前記ケーブルユニット２０又は前記ディスプレイユニット３０の脚部に連結ボルトＲで着脱自在に連結する前記脚体１１と、前記天板１２の下に配置される台車付キャビネット１３と、デスクユニット１０の前面を開閉自在に覆う三連の扉１４とを有するものである。
【００１３】
第３の手段において、ケーブルユニット２０は、前記デスクユニット１０又は前記ディスプレイユニット３０の脚部に連結ボルトＲで着脱自在に連結する脚体２１と、該脚体２１の内側に設けられた機器取付用のサイドボード２２と、ケーブルユニット２０の開口した上部に着脱自在に装着して配線ケーブルＰを支持するケーブルトレイ２３と、該ケーブルトレイ２３の開口上部を施蓋する蓋体２４とで構成されている。
【００１４】
第４の手段において、ディスプレイユニット３０は、前記デスクユニット１０又は前記ケーブルユニット２０の脚部に連結ボルトＲで着脱自在に連結する脚体３１と、該脚体３１の上面に設けられ、前記ディスプレイ支持装置４０を立設せしめる支持用レール３２と、脚体３１の内側面に沿って配線ケーブルＰを支持するケーブルリング３３とを有することを課題解消のための手段とする。
【００１５】
本発明によると、ユニット化されたデスクユニット１０、ケーブルユニット２０、ディスプレイユニット３０を組み合わせて連結することで、ディスプレイ装置Ｑやパソコン等の増減に合わせて自由にレイアウトすることができるものである。
【００１６】
【発明の実施の形態】
以下、図面を参照して本発明の実施の形態を説明する。本発明デスク装置の基本構成は、デスクユニット１０、ケーブルユニット２０、ディスプレイユニット３０からなる。そして、デスクユニット１０の背面に、ケーブルユニット２０とディスプレイユニット３０とのいずれか一方又は両方を併設して各ユニット相互を着脱自在に連結して使用するものである（図１参照）。
【００１７】
デスクユニット１０は、デスク用の脚体１１とデスク用の天板１２とで構成される（図１，図２参照）。脚体１１は、デスクユニット１０の背面側に偏った位置に２対設けてあり、天板１２の下のスペースをできるだけ広くしている。すなわち、このデスクユニット１０は、単独で使用するものではなく、ケーブルユニット２０やディスプレイユニット３０と連結して始めてデスクとしての安定性を保つことができるようにしている（図２参照）。
【００１８】
デスクユニット１０の脚体１１は、連結ボルトＲを貫通させてケーブルユニット２０やディスプレイユニット３０の脚部に連結される（図１参照）。連結ボルトＲは、締め易く耐久性に優れているＭ８キャップボルトを使用しているが、他の連結ボルトＲを使用することも可能である。また、使用時において、デスクユニット１０の天板１２の下に、台車付キャビネット１３を配し、デスクユニット１０の前面を三連の扉１４で開閉自在に覆っている（図７参照）。このように設けることで、台車付キャビネット１３を移動させた際に、天板１２の下のスペースは広く開放されるので、例えばフリーアクセスフロアーを外すことも容易に行える。また、三連の扉１４によって、デスクユニット１０の前面を覆ったり、開放することが自由に選択できるものである。
【００１９】
ケーブルユニット２０は、該デスクユニット１０の背面の幅と同じ長さに構成された略枠体状を成す（図２参照）。そして、ケーブルユニット２０の開口した上面に着脱自在に装着するケーブルトレイ２３を設け、このケーブルトレイ２３に沿って配線ケーブルＰを収納する。ケーブルトレイ２３には、さらに配線ケーブルＰのほか、パソコン等の関係機器を収納することができる。また、ケーブルトレイ２３の開口上部を蓋体２４が施蓋している。
【００２０】
図示のケーブルユニット２０は、デスクユニット１０の高さと同じ高さに設定してある。すなわち、ケーブルトレイ２３の開口上部を施蓋した蓋体２４の上面とデスクユニット１０の天板１２の位置とが同じ位置にある。こうすることで、ケーブルユニット２０の上面をデスクユニット１０の天板１２の延長として使用することができる（図３参照）。
【００２１】
さらにケーブルユニット２０は、前記デスクユニット１０又は前記ディスプレイユニット３０の脚部に連結ボルトＲで着脱自在に連結する脚体２１を設けてあり、この脚体２１の内側に機器取付用のサイドボード２２を設ける（図２参照）。サイドボード２２には、パソコンＳやデータボックスＴなどの周辺機器を装着することができる（図６参照）。
【００２２】
ケーブルユニット２０の開口上部に装着するケーブルトレイ２３には、配線ケーブルＰの発熱を放出するための放熱孔２３Ａを多数設けている（図２参照）。また、ケーブルトレイ２３を施蓋する蓋体２４には、放熱用のスリット２４Ａと、どこからでもケーブルトレイ２３内に配線ができるようにした配線ブラシ２４Ｂと、垂直方向への配線を容易にする切欠口２４Ｃとを設けている。尚、切欠口２４Ｃの周囲にゴム２４Ｄを配して配線ケーブルＰの保護を図っている。
【００２３】
ディスプレイユニット３０は、ケーブルユニット２０と同じ長さに構成された略枠体状を成す（図２参照）。このディスプレイユニット３０の上面に、支持用レール３２を設け、この支持用レール３２にディスプレイ支持装置４０を着脱自在に立設する。支持用レール３２は、前記デスクユニット１０又は前記ケーブルユニット２０の脚部に連結ボルトＲで着脱自在に連結する脚体３１の上部に配設している。このとき、図示例のディスプレイユニット３０も前記ケーブルユニット２０と同様に、デスクユニット１０の高さと同じ高さに設定している。こうすることで、各ユニットを連結した際の一体感が生まれ、見栄えを良好にすることができる。
【００２４】
図示の支持用レール３２は、脚体３１相互に架設した補強金具３４の上面に配している（図２参照）。また、ディスプレイ支持装置４０のタイプに合わせた取付部３５を支持用レール３２の両側に装着している。図示のディスプレイ支持装置４０は、液晶のディスプレイ装置Ｑを支持する支持アーム４１と、ＣＲＴのディスプレイ装置Ｑを載置するガントレー４２が示されている（図７参照）。そして、支持用レール３２に支持アーム４１を立設し、支持用レール３２の両側に設けた取付部３５にガントレー４２を立設するようにしている。
【００２５】
また、ディスプレイユニット３０の脚体３１内側面に沿ってケーブルリング３３を設けている（図２参照）。このケーブルリング３３は、配線ケーブルＰを支持するもので、支持用レール３２の隙間から通したディスプレイ装置Ｑの配線ケーブルＰをまとめて配線する。
【００２６】
本発明装置は、デスクユニット１０、ケーブルユニット２０、ディスプレイユニット３０を組み合わせ自在に連結して使用する（図３乃至図５参照）。図３（イ）及び（ロ）は、一台のデスクユニット１０にケーブルユニット２０とディスプレイユニット３０とを一台ずつ連結した状態を示している。
【００２７】
また、図４（イ）及び（ロ）は、二台のデスクユニット１０の間に二台のケーブルユニット２０と一台のディスプレイユニット３０とを連結した状態を示している。このとき、ディスプレイユニット３０を二台に増設することも可能である。
【００２８】
さらに、図５（イ）及び（ロ）は、ケーブルユニット２０を使用せず、デスクユニット１０とディスプレイユニット３０とを組み合わせた例を示している。図示例では、二台のデスクユニット１０の間に一台のディスプレイユニット３０を連結しているが、一台のデスクユニット１０と一台のディスプレイユニット３０との組み合わせでもよい。
【００２９】
【発明の効果】
本発明は、上述の如く構成したことにより当初の目的を達成する。すなわちデスクユニット１０の背面に、ケーブルユニット２０とディスプレイユニット３０とのいずれか一方又は両方を併設して各ユニットを着脱自在に連結することによって、各デスクに載置するディスプレイやパソコン等を自由に増減することが可能になった。しかも、テーブル自体のレイアウト変更も極めて容易に行えるものである。
【００３０】
また、デスクユニット１０において、前記天板１２の下に台車付キャビネット１３を配しているので、この台車付キャビネット１３を引き出した後は、床上に載置されるものはなくなり、デスクユニット１０下のフリーアクセスフロアを外したり配線することも可能である。さらに、デスクユニット１０の前面を開閉自在に覆う三連の扉１４を設けているので、デスクユニット１０の内部機器へのアクセスを容易にすると共に、デスクユニット１０の前面の目隠しを自由にすることが可能である。
【００３１】
さらに、ケーブルユニット２０における脚体２１の内側に、機器取付用のサイドボード２２を設けているので、デスクユニット１０に載置しない機器類をこのサイドボード２２に容易に装着することができる。また、ケーブルユニット２０の開口した上部に着脱自在に装着するケーブルトレイ２３と蓋体２４とを配しているので、デスクの下にもぐらなくてもケーブル配線作業が容易に行える。また、ケーブルトレイ２３には、ケーブルと共に機器を収納することも可能である。しかも、ケーブルトレイ２３を蓋体２４が施蓋することで、この蓋体２４上に機材を設置することも可能である。
【００３２】
そして、ディスプレイユニット３０に支持用レール３２を設けているので、この支持用レール３２にディスプレイ支持装置４０を立設することで、多数のディスプレイ装置Ｑを装着することができる。また、ディスプレイユニット３０の脚体３１の内側面に沿ってケーブルリング３３を設けているので、該ディスプレイユニット３０を利用した配線も可能になるものである。
【００３３】
このように、本発明によると、ユニット化されたデスクユニット１０、ケーブルユニット２０、ディスプレイユニット３０を組み合わせて連結することで、ディスプレイ装置Ｑやパソコン等の増減に合わせて自由にレイアウトすることができるといった有益な種々の効果を奏するものである。
【図面の簡単な説明】
【図１】本発明の一実施例を示す分解斜視図である。
【図２】本発明のケーブルユニットの一実施例を示す分解斜視図である。
【図３】本発明の組み合わせ状態を示し、（イ）は連結状態、（ロ）は分離状態を示す側面図である。
【図４】本発明の他の組み合わせ状態を示し、（イ）は連結状態、（ロ）は分離状態を示す側面図である。
【図５】本発明の他の組み合わせ状態を示し、（イ）は連結状態、（ロ）は分離状態を示す側面図である。
【図６】本発明の使用状態を示す概略側面図である。
【図７】本発明の使用状態を示す分解斜視図である。
【符号の説明】
Ｐ　配線ケーブル
Ｑ　ディスプレイ装置
Ｒ　連結ボルト
Ｓ　パソコン
Ｔ　データボックス
１０　デスクユニット
１１　脚体
１２　天板
１３　台車付キャビネット
１４　扉
２０　ケーブルユニット
２１　脚体
２２　サイドボード
２３　ケーブルトレイ
２４　蓋体
２４Ａ　スリット
２４Ｂ　配線ブラシ
２４Ｃ　切欠口
２４Ｄ　ゴム
３０　ディスプレイユニット
３１　脚体
３２　支持用レール
３３　ケーブルリング
４０　ディスプレイ支持装置
４１　支持アーム
４２　ガントレー
【図１】
2004135735.tif 000003
【図２】
2004135735.tif 000004
【図３】
2004135735.tif 000005
【図４】
2004135735.tif 000006
【図５】
2004135735.tif 000007
【図６】
2004135735.tif 000008
【図７】
2004135735.tif 000009